(57)【要約】【課題】前面パネルを開くときに室内機本体側が破損するのを防止して美観が損なわれないようにできる空気調和機を提供する。【解決手段】前面パネル４の裏面４０かつ上側に、室内機本体１の開口９内に向かって延びるアーム２０を突設する。そのアーム２０の先端側に、開口９の開口面に平行にかつ水平方向に延びる軸３０を設ける。室内機本体１の開口９内に、軸３０を回動自在に支持する軸受け部１０を設ける。そして、前面パネル４が軸３０を中心に回動して室内機本体１に対して所定の角度開いた全開状態となったとき、アーム２０と室内機本体１の開口９の上縁２eとの間に隙間９aが形成される。【選択図】図１
2008215689.tif 000002
【特許請求の範囲】
【請求項１】
室内機本体(１)と、この室内機本体(１)の前面側の開口(９)を覆うように開閉自在に取り付けられた前面パネル(４)とを備えた空気調和機であって、
上記前面パネル(４)の裏面(４０)かつ上側に、上記室内機本体(１)の上記開口(９)内に向かって延びるアーム(２０)が突設され、
上記アーム(２０)の先端側に、上記開口(９)の開口面に平行にかつ水平方向に延びる軸(３０)が設けられ、
上記室内機本体(１)の上記開口(９)内に、上記軸(３０)を回動自在に支持する軸受け部(１０) が設けられ、
上記前面パネル(４)が上記軸(３０)を中心に回動して上記室内機本体(１)に対して所定の角度開いた全開状態となったとき、上記アーム(２０)と上記室内機本体(１)の上記開口(９)の上縁(２e)との間に隙間(９a)が形成されていることを特徴とする空気調和機。
【請求項２】
請求項１に記載の空気調和機において、
上記前面パネル(４)が上記室内機本体(１)に対して上記全開状態からさらに開かれたとき、上記隙間(９a)を保った状態で上記前面パネル(４)の上縁(４１)が上記室内機本体(１)の上記開口(９)の上縁(２e)よりも上方の部分(２a)に当接することを特徴とする空気調和機。
【請求項３】
請求項１に記載の空気調和機において、
上記前面パネル(４)が上記全開状態を作るべき姿勢で上記室内機本体(１)に対して前方から後方へ押し込まれて取り付けられるとき、上記軸(３０)の先端外周部のうち後方を向く位置に、上記軸(３０)が上記周縁(１３)に達するまでの間、上記軸受け部(１０)の上記周縁(１３)よりも前方に相当する部分(１２f)に当接して、上記軸(３０)が上記軸受け部(１０)から外れる向きと同じ向きに上記アーム(２０)を弾性変形させるテーパー部(３３)が形成されていることを特徴とする空気調和機。
【発明の詳細な説明】
【技術分野】
【０００１】
この発明は空気調和機に関し、より詳しくは、室内機本体の前面側の開口を覆うように開閉自在に取り付けられた前面パネルを備えた空気調和機に関する。
【背景技術】
【０００２】
従来、空気調和機としては、図１２に示すように、室内機本体６１の前面側の開口を覆うように開閉自在に取り付けられた前面パネル６２を備えたものがある(例えば、特許文献１(特許第３１２１５０５号)参照)。この空気調和機は、前面パネル６２の裏面上部に、室内機本体６１に挿入されるアーム６６が突設され、このアーム６６の先端側に水平方向に延びる軸６５を設けている。一方、室内機本体６１には、そのアーム６６の軸６５を回動自在に支持するための軸受け部６３が設けられている。
【０００３】
この空気調和機では、室内機本体６１に対して前面パネル６２を開いたとき、アーム６６の軸６５近傍の上端が室内機本体６１の開口の上縁に当たる場合がある。この場合、軸６５を支点にして前面パネル６２側に力点があるのに比べて、アーム６６が室内機本体６１の開口の上縁に当たる部分の作用点は軸６５近傍であるためにテコの原理により大きな力が働く。このため、アーム６６が当たった室内機本体６１の開口の上縁部分が傷ついて、空気調和機の前面の美観が損なわれるという問題がある。
【特許文献１】特許第３１２１５０５号
【発明の開示】
【発明が解決しようとする課題】
【０００４】
そこで、この発明の課題は、前面パネルを開くときに室内機本体側が破損するのを防止して美観が損なわれないようにできる空気調和機を提供することにある。
【課題を解決するための手段】
【０００５】
上記課題を解決するため、この発明の空気調和機は、
室内機本体と、この室内機本体の前面側の開口を覆うように開閉自在に取り付けられた前面パネルとを備えた空気調和機であって、
上記前面パネルの裏面かつ上側に、上記室内機本体の上記開口内に向かって延びるアームが突設され、
上記アームの先端側に、上記開口の開口面に平行にかつ水平方向に延びる軸が設けられ、
上記室内機本体の上記開口内に、上記軸を回動自在に支持する軸受け部が設けられ、
上記前面パネルが上記軸を中心に回動して上記室内機本体に対して所定の角度開いた全開状態となったとき、上記アームと上記室内機本体の上記開口の上縁との間に隙間が形成されていることを特徴とする。
【０００６】
この発明の空気調和機では、上記前面パネルの裏面かつ上側に突設されたアームの先端側に設けられた軸は、室内機本体の開口の開口面に平行にかつ水平方向に延びて、室内機本体の開口内に設けられた軸受け部により回動自在に支持される。そして、上記前面パネルが軸を中心に回動して室内機本体に対して所定の角度開いた全開状態となったとき、前面パネルの裏面かつ上側から室内機本体の開口内に向かって延びるアームと、室内機本体の開口の上縁との間に隙間を形成する。これにより、前面パネルを開くときにアームの軸近傍の上端が室内機本体の開口の上縁に当たらないので、室内機本体側が破損するのを防止でき、空気調和機の前面の美観が損なわれないようにできる。
【０００７】
一実施形態の空気調和機では、上記前面パネルが上記室内機本体に対して上記全開状態からさらに開かれたとき、上記隙間を保った状態で上記前面パネルの上縁が上記室内機本体の上記開口の上縁よりも上方の部分に当接することを特徴とする。
【０００８】
この一実施形態の空気調和機では、上記前面パネルが室内機本体に対して全開状態からさらに開かれたとき、上記隙間を保った状態で前面パネルの上縁が室内機本体の開口の上縁よりも上方の部分に当接することによって、アームが室内機本体の開口の上縁に当たらないように確実にできる。
【０００９】
一実施形態の空気調和機では、上記前面パネルが上記全開状態を作るべき姿勢で上記室内機本体に対して前方から後方へ押し込まれて取り付けられるとき、上記軸の先端外周部のうち後方を向く位置に、上記軸が上記周縁に達するまでの間、上記軸受け部の上記周縁よりも前方に相当する部分に当接して、上記軸が上記軸受け部から外れる向きと同じ向きに上記アームを弾性変形させるテーパー部が形成されていることを特徴とする。
【００１０】
この一実施形態の空気調和機では、上記前面パネルが上記全開状態を作るべき姿勢で上記室内機本体に対して前方から後方へ押し込まれて取り付けられるとき、上記軸が上記周縁に達するまでの間、上記軸の先端外周部に形成されたテーパー部が、上記軸受け部の上記周縁よりも前方に相当する部分に当接して、上記軸が上記軸受け部から外れる向きと同じ向きに上記アームを弾性変形させる。したがって、室内機本体に対して前面パネルを容易に取り付けることができる。
【発明の効果】
【００１１】
以上より明らかなように、この発明の空気調和機によれば、前面パネルを開くときに室内機本体側が破損するのを防止して美観が損なわれないようにできる空気調和機を実現することができる。
【００１２】
また、一実施形態の空気調和機によれば、前面パネルが室内機本体に対して全開状態からさらに開かれたとき、アームと室内機本体の開口の上縁との間に隙間を保った状態で前面パネルの上縁が室内機本体の開口の上縁よりも上方の部分に当接することによって、アームが室内機本体の開口の上縁に当たらないように確実にできる。
【００１３】
また、一実施形態の空気調和機によれば、前面パネルが全開状態を作るべき姿勢で室内機本体に対して前方から後方へ押し込まれて取り付けられるとき、軸が周縁に達するまでの間、軸の先端外周部に形成されたテーパー部が、軸受け部の周縁よりも前方に相当する部分に当接して、軸が軸受け部から外れる向きと同じ向きにアームを弾性変形させることによって、室内機本体に対して前面パネルを容易に取り付けることができる。
【発明を実施するための最良の形態】
【００１４】
以下、この発明を図示の実施の形態により詳細に説明する。
【００１５】
図１はこの発明の一実施形態の空気調和機の壁掛形の室内機の室内機本体と前面パネルとの着脱に関する部分を示す断面図を示し、図２はこの室内機(右半分)を前方(−Ｘ側)から見たところを示している。また、図３は、図２のものを右側方(−Ｙ側)から見たところを示している。
【００１６】
図２および図３から分かるように、この空気調和機は、室内機本体１と、この室内機本体１の前面側の開口９を覆うように開閉自在かつ着脱自在に取り付けられた前面パネル４とを備えている。図２および図３では、前面パネル４は、室内機本体１に対して所定の角度として略９０°の開き角に開かれ、略水平の姿勢をとった全開状態にある。前面パネル４が室内機本体１に対して閉じられて略鉛直の姿勢をとったときに、室内機前面３の開口９は前面パネル４によって塞がれるようになっている。室内機本体１の上面２には、室内の空気を吸い込むためのグリル(図示せず)が形成されている。
【００１７】
図１に示すように、前面パネル４の裏面４０かつ上側に、室内機本体１の室内機前面３の開口９内に向かって延びるアーム２０を突設している。なお、図１は図２におけるＡ−Ａ線矢視断面に相当する。このアーム２０は、前面パネル４の裏面４０に対して略垂直に延びる先細の第１アーム部分２１と、この第１アーム部分２１に対して略９０°屈曲して前面パネル４の上縁４１と略対応する位置まで延びる第２アーム部分２２とからなっている。この第２アーム部分２２の先端に、開口９の開口面に平行にかつ水平方向に延びる軸３０が設けられている。
【００１８】
図４は図１に示す前面パネル４から延びるアーム２０先端の軸３０の拡大斜視図を示している。図４に示すように、第２アーム部分２２の先端側に設けられた軸３０は、基本的には、外周面３０ｓと端面３０eとで定まる短円柱に、それぞれ軸心に対して傾斜した平坦面からなる第１の面取り３１、第２の面取り３２、およびテーパー部の一例としての第３の面取り３３を形成して得られた外形を有している。端面３０eと各面取り３１、３２、３３との間の境界にはそれぞれアール３５が設けられ、外周面３０ｓと各面取り３１、３２、３３との間の境界にはそれぞれアール３６が設けられ、また、各面取り３１、３２、３３同士の間の境界にはそれぞれアール３７が設けられている。
【００１９】
これらのアーム２０および軸３０は、前面パネル４の裏面の上部に、左右対称に一対設けられている。前面パネル４と、一対のアーム２０および軸３０は、一体成形された樹脂からなっている。
【００２０】
図１に示すように、室内機本体１は、開口９内に軸３０を回動自在に支持する軸受け部１０を設けている。この軸受け部１０は、前方(−Ｘ方向)へ窪むように湾曲した半円状の周縁１３を有する案内板１２と、この案内板１２の後方に配置された水平方向(Ｙ方向)に延びる規制部材１１(図１０参照)とを含んでいる。案内板１２は、図６(図３中のＢ−Ｂ線矢視断面に相当する)に示すように、後方(＋Ｘ方向)へ向かってアーム２０に近づく向きに傾斜した斜面１２fを有している。案内板１２の周縁１３は、案内板１２の斜面１２fの後方に位置する。なお、図６において、図１と同一の構成部には同一参照番号を付している。
【００２１】
図１に示すように、前面パネル４が室内機本体１に対して取り付けられているとき、案内板１２の周縁１３は軸３０を回動自在に支持する。規制部材１１は、第２アーム部分２２の先端が後方(＋Ｘ方向)へ移動するのを規制することで、軸３０が案内板１２の周縁１３に嵌合した位置から後方(＋Ｘ方向)へ離脱するのを規制する。
【００２２】
上記軸受け部１０は、前面パネル４の一対のアーム２０および軸３０に対応して、室内機本体１内の上部に、左右対称に一対設けられている。
【００２３】
また、軸３０の第１の面取り３１は、図１に示すように前面パネル４が全開状態にあるとき、軸３０の先端外周部のうち案内板１２の周縁１３の下部１３bに面する部位に形成されている。また、軸３０の第２の面取り３２は、前面パネル４が全開状態にあるとき、軸３０の先端外周部のうちその周縁１３の中央部１３aに面する部位に形成されている。軸３０の第３の面取り３３は、前面パネル４が全開状態にあるとき、軸３０の先端外周部のうち後方(＋Ｘ方向)を向く位置に形成されている。
【００２４】
室内機本体１に対して前面パネル４を取り付けるときは、作業者は、前面パネル４を水平な姿勢にして手に持ち、図７に示すように、軸３０を案内板１２の斜面１２fの位置に合わせて、前面パネル４を前方から後方へ水平方向に押し込む。なお、図７において、図１と同一の構成部には同一参照番号を付している。
【００２５】
これにより、軸３０の第３の面取り３３(図１参照)が案内板１２の斜面１２fに沿って案内されて挿入され、図６に示すように、案内板１２の周縁１３に嵌合する。
【００２６】
この軸３０が案内板１２の周縁１３に達するまでの間、軸３０の先端外周部に形成された第３の面取り３３が、軸３０が軸受け部１０から外れる向きと同じ向きにアーム２０を弾性変形させる。したがって、室内機本体１に対して前面パネル４を容易に取り付けることができる。
【００２７】
しかる後、軸３０が軸受け部１０に支持された状態で、前面パネル４が軸３０の周りに回転されて、室内機本体１に対して前面パネル４が閉じられる。
【００２８】
一方、室内機本体１から前面パネル４を取り外すときは、図１に示すように、作業者は、前面パネル４の下側部４２を掴んで、外力Ｆを加えて手前に引くようにして持ち上げて、前面パネル４を室内機本体１に対して閉状態から全開状態まで開く。このとき、軸３０が軸受け部１０に支持された状態で、前面パネル４は軸３０の周りに容易に回転する。
【００２９】
全開状態では、前面パネル４の上縁４１は、室内機本体１の上面２のうち開口９よりも上方の部分２aに当接する。これは、そうなるように、アーム２０の長さと室内機本体１内での案内板１２の周縁１３の位置とが設定されているからである。アーム２０と開口９の上縁２eとの間には隙間９aが残るようになっている。したがって、前面パネル４の上縁４１やアーム２０と開口９の上縁２eとが衝突して破損するようなおそれが無い。
【００３０】
なお、この全開状態では、室内機本体１とアーム２０との間に設けられた図示しないリブからなる係合部によって、前面パネル４が支持されている。したがって、作業者が前面パネル４から手を離しても、前面パネル４の姿勢が全開状態に維持される。
【００３１】
次に、図８に示すように、作業者が前面パネル４を室内機本体１に対して全開状態からさらに開こうとすると、前面パネル４の上縁４１が支点となって、前面パネル４が受ける外力Ｆに応じた下向きの力Ｆ１が軸３０に作用する。これにより、軸３０の先端外周部に形成された第１の面取り３１が、周縁１３の下部１３bに当接する。この結果、軸３０が軸受け部１０から水平方向に外れる向きにアーム２０が弾性変形する。第１の面取り３１が周縁１３の下部１３bに少し潜り込む分だけ、前面パネル４は全開状態から少し開く。
【００３２】
この状態から、図９および図１０(図９を斜め上方から見たところに相当する)に示すように、作業者が前面パネル４を室内機本体１に対してさらに開こうとすると、前面パネル４の上縁４１が支点となって、前面パネル４が受ける外力Ｆに応じた前向きの力Ｆ２が軸３０に作用する。これにより、軸３０の先端外周部に形成された第２の面取り３２が、案内板１２の周縁１３の中央部１３aに当接する。この結果、軸３０が軸受け部１０から水平方向に外れる向きにアーム２０がさらに弾性変形して、軸３０が軸受け部１０から離脱する。
【００３３】
このように、前面パネル４の全開状態から、作業者が前面パネル４を取り外そうとして前面パネル４に対して少し余分な力を加えると、軸３０が軸受け部１０から容易に外れる。また、前面パネル４の上縁４１が支点となって、外力Ｆよりも大きな力が軸３０に加わるから、軸３０が軸受け部１０からさらに容易に外れる。したがって、室内機本体１から前面パネル４を簡単に取り外しできる。しかも、室内機本体１に対して前面パネル４を開く向きに回転させる１種類の操作だけで、室内機本体１から前面パネル４が外れる。したがって、前面パネル４をさらに簡単に取り外しできる。しかも、前面パネル４が室内機本体１に対して全開状態からさらに開かれるとき、前面パネル４の上縁４１やアーム２０と開口９の上縁２eとが衝突して破損するようなおそれが無い。
【００３４】
上記構成の空気調和機によれば、前面パネル４が軸３０を中心に回動して室内機本体１に対して所定の角度開いた全開状態となったとき、前面パネル４の裏面かつ上側から室内機本体１の開口９内に向かって延びるアーム２０と、室内機本体１の開口９の上縁２eとの間に隙間９aを形成することによって、前面パネル４を開くときにアーム２０の軸近傍の上端が室内機本体１の開口９の上縁２eに当たらないので、前面パネル４を開くときに室内機本体１側が破損するのを防止して美観が損なわれないようにできる。
【００３５】
また、前面パネル４が室内機本体１に対して全開状態からさらに開かれたとき、アーム２０と室内機本体１の開口９の上縁２eとの間に隙間９aを保った状態で前面パネル４の上縁が室内機本体１の開口９の上縁よりも上方の部分に当接することによって、アーム２０が室内機本体１の開口９の上縁に確実に当たらないようにできる。
【００３６】
また、作業者が予め正確な取り外し方法を知らなくても、破損を招くことなく、室内機本体１から前面パネル４を簡単に取り外すことができる。この結果、サービス交換のためのコストを削減できる。
【００３７】
なお、図４に示す軸３０と対比して、図５は、第１および第２の面取りに相当するものが形成されていない軸１３０を示している。この軸１３０は、第２アーム部分２２の先端側に設けられ、基本的には、外周面１３０ｓと端面１３０eとで定まる短円柱に、面取り１３３を形成して得られた外形を有している。この面取り１３３は、図４に示す軸３０における第３の面取り３３に相当する。端面１３０eと面取り１３３との間の境界にはアール１３５が設けられ、外周面１３０ｓと面取り１３３との間の境界にはアール１３６が設けられている。この軸１３０のように、既述の第１および第２の面取りに相当するものが形成されていなければ、例えば図１１に示すように、前面パネル４が受ける外力Ｆに応じた前向きの力Ｆ２が軸１３０に作用したとしても、軸１３０が案内板１２の周縁１３から離脱することはない。したがって、図４に示す軸３０による好ましい作用効果を得ることができない。
【００３８】
上述の実施形態では、第１の面取り３１、第２の面取り３２、第３の面取り３３はそれぞれ軸心に対して傾斜した平坦面であるものとしたが、当然ながらこれに限られるものではない。第１の面取り３１と第２の面取り３２とは、または第１の面取り３１と第２の面取り３２と第３の面取り３３とは、例えばアーム２０から離れるに連れて先細になる円錐面(の一部)の形態をとって、軸心の周りに或る角度範囲で互いに連続して構成されていても良い。
【００３９】
また、この発明の空気調和機としては、
室内機本体とこの室内機本体に対して着脱される前面パネルとを備えた空気調和機であって、
上記前面パネルは、上記室内機本体に挿入されるように裏面に突設されたアームを備え、このアームに水平方向に延びる軸が設けられ、
上記室内機本体は、上記軸を回動自在に支持するための、前方へ窪むように湾曲した周縁を少なくとも有する軸受け部を備え、
上記前面パネルが上記室内機本体に対して或る開き角をなす全開状態を越えてさらに開く向きに外力を受けたとき、上記軸の先端外周部のうち上記周縁の下部に面する部位に、上記周縁の下部に当接することによって上記軸が上記軸受け部から水平方向に外れる向きに上記アームを弾性変形させる第１の面取りが形成されてもよい。
【００４０】
この空気調和機では、上記前面パネルが室内機本体に対して閉状態から或る開き角をなす全開状態まで開かれるとき、軸が軸受け部に支持された状態で、前面パネルは軸の周りに回転する。前面パネルが室内機本体に対して全開状態からさらに開かれるとき、軸の先端外周部に形成された第１の面取りが、周縁の下部に当接することによって軸が軸受け部から水平方向に外れる向きにアームを弾性変形させる。したがって、前面パネルの全開状態から、作業者が前面パネルを取り外そうとして前面パネルに対して少し余分な力を加えると、軸が軸受け部から容易に外れる。したがって、作業者が予め正確な取り外し方法を知らなくても、破損を招くことなく、室内機本体から前面パネルを簡単に取り外すことができる。この結果、サービス交換のためのコストが削減される。
【００４１】
また、上記前面パネルが上記室内機本体に対して上記全開状態からさらに開かれるとき、上記軸の先端外周部のうち上記周縁の中央部に面する部位に、上記周縁の中央部に当接することによって上記アームを弾性変形させて、上記軸を上記軸受け部から離脱させる第２の面取りが形成されてもよい。
【００４２】
この空気調和機では、上記前面パネルが室内機本体に対して全開状態からさらに開かれるとき、軸の先端外周部に形成された第２の面取りが、周縁の中央部に当接することによってアームを弾性変形させて、軸を軸受け部から離脱させる。つまり、この空気調和機では、室内機本体に対して前面パネルを開く向きに回転させる１種類の操作だけで、室内機本体から前面パネルが外れる。したがって、前面パネルをさらに簡単に取り外しできる。
【図面の簡単な説明】
【００４３】
【図１】この発明の一実施形態の空気調和機の室内機本体と前面パネルとの着脱に関する部分を示す断面図である。
【図２】上記室内機(右半分)を前方から見たところを示す図である。
【図３】図２のものを右側方から見たところを示す図である。
【図４】上記前面パネルから延びるアーム先端の軸を示す拡大斜視図である。
【図５】第１および第２の面取りに相当するものが形成されていない軸を、図４と対比して示す拡大斜視図である。
【図６】室内機本体と前面パネルとの着脱に関する部分を前方から見たところを示す図であって、軸が軸受け部の周縁に嵌合している状態を示すものである。
【図７】室内機本体と前面パネルとの着脱に関する部分を前方から見たところを示す図であって、軸が軸受け部の周縁から離脱している状態を示すものである。
【図８】前面パネルの上縁が支点となって、前面パネルが受ける外力に応じた下向きの力が軸に作用している状態を示す図である。
【図９】前面パネルの上縁が支点となって、前面パネルが受ける外力に応じた前向きの力が軸に作用している状態を示す図である。
【図１０】図９のものを斜め上方から見たところを示す図である。
【図１１】アームに仮に図５の軸が設けられた場合の作用を説明する図である。
【図１２】従来の空気調和機における室内機本体と前面パネルとの着脱に関する部分を示す断面図である。
【符号の説明】
【００４４】
１…室内機本体
２a…上方の部分
２e…上縁
４…前面パネル
９…開口
９a…隙間
１０…軸受け部
１１…規制部材
１２…案内板
１２f…斜面
１３…周縁
２０…アーム
３０…軸
３１…第１の面取り
３２…第２の面取り
３３…第３の面取り
４０…裏面
４１…上縁
【図１】
2008215689.tif 000003
【図２】
2008215689.tif 000004
【図３】
2008215689.tif 000005
【図４】
2008215689.tif 000006
【図５】
2008215689.tif 000007
【図６】
2008215689.tif 000008
【図７】
2008215689.tif 000009
【図８】
2008215689.tif 000010
【図９】
2008215689.tif 000011
【図１０】
2008215689.tif 000012
【図１１】
2008215689.tif 000013
【図１２】
2008215689.tif 000014